(57)【特許請求の範囲】
【請求項１】
吸引風を発する電動送風機を内蔵する掃除機本体と、
前記掃除機本体の下方に設けられ前記電動送風機と連通する床用吸込具と、
前記掃除機本体に設けられ前記床用吸込具と前記電動送風機とに連通する集塵部と、
前記掃除機本体に着脱自在に取り付け可能な隙間吸引パイプと、
前記掃除機本体内に設けられ前記集塵部に連通する共通通路と、
前記床用吸込具より吸気され前記共通通路に連通する床側吸込み流路と、
前記隙間吸引パイプより吸気され前記共通通路に連通する吸引パイプ側吸込み流路と、
前記隙間吸引パイプと連通する接続パイプと、を備え、
前記共通通路内での、前記床側吸込み流路と前記吸引パイプ側吸込み流路との合流位置近傍に前記接続パイプと連通接続される穴を前記掃除機本体に設け、前記接続パイプを前記掃除機本体の穴に対し、着脱自在に設け、前記共通通路における通路の口径は、前記共通通路と連通する床側吸込み流路の口径および前記吸引パイプ側吸込み流路の口径よりも広い口径とした縦型電気掃除機。
【請求項２】
吸引風を発する電動送風機を内蔵する掃除機本体と、
前記掃除機本体の下方に設けられ前記電動送風機と連通する床用吸込具と、
前記掃除機本体に設けられ前記床用吸込具と前記電動送風機とに連通する集塵部と、
前記掃除機本体に着脱自在に取り付け可能な隙間吸引パイプと、
前記掃除機本体内に設けられ前記集塵部に連通する共通通路と、
前記床用吸込具より吸気され前記共通通路に連通する床側吸込み流路と、
前記隙間吸引パイプより吸気され前記共通通路に連通する吸引パイプ側吸込み流路と、
前記隙間吸引パイプと連通する接続パイプと、を備え、
前記共通通路内での、前記床側吸込み流路と前記吸引パイプ側吸込み流路との合流位置近傍に前記接続パイプと連通接続される穴を前記掃除機本体に設け、前記接続パイプを前記掃除機本体の穴に対し、着脱自在に設け、前記隙間吸引パイプと連通する前記接続パイプを略Ｌ字状に形成し、前記略Ｌ字状の接続パイプ内を流れる吸い込み気流の下流側における前記接続パイプの口径は、気流の上流側における前記接続パイプの口径に比べ大きく設定し、気流が進む方向に段階的に口径が広がるようにした縦型電気掃除機。
【請求項３】
前記接続パイプと連通する前記穴の配置を、前記共通通路内における前記床側吸込み流路と前記吸引パイプ側吸込み流路とが合流する合流点から外した位置に設けたことを特徴とした請求項１または２に記載の縦型電気掃除機。
【請求項４】
前記隙間吸引パイプと連通する前記接続パイプには爪が形成され、前記爪で前記掃除機本体の前記穴と着脱自在に係合されると共に、前記接続パイプを前記掃除機本体後方下部に配置させた請求項１〜３のいずれか１項に記載の縦型電気掃除機。
【発明の詳細な説明】
【技術分野】
【０００１】
本発明は、下方に床用吸込具を有し、ホースと連通する接続パイプを着脱可能に備えた縦型電気掃除機に関するものである。
【背景技術】
【０００２】
従来のこの種の縦型電気掃除機は，特許文献１参照に記載されているようなものが一般的であった。この縦型電気掃除機を図７を用いて説明する。
従来の縦型電気掃除機において、床面を掃除する際には、隙間吸引パイプ１を掃除機本体２に差し込み、掃除機本体１の上部に設けられたハンドル３を掴んで、床用吸込具４を床面で滑らせるように移動させて掃除を行なう。また、隙間や壁、天井等は、隙間吸引パイプ１を掃除機本体２から取り外して、隙間吸引パイプ１によって掃除する。
床用吸込具４と隙間吸引パイプ１は、掃除機本体２の内部に配備された集塵部５に接続されている。具体的には、集塵部５に連通されている共通通路６に、床用吸込具４の床側吸込み流路７と、隙間吸引パイプ１の吸引パイプ側吸込み流路８が合流し接続されているのが一般的であった。
【先行技術文献】
【特許文献】
【０００３】
【特許文献１】特開２００７−８９７６２号公報
【発明の概要】
【発明が解決しようとする課題】
【０００４】
しかしながら、上記のような電気掃除機の構成では、床用吸込具の床側吸込み流路７と、隙間吸引パイプの吸引パイプ側吸込み流路８が合流する共通通路６近傍に、塵埃が蓄積し、塵埃を取り去る作業をした場合、集塵部５または床用吸込具４を、掃除機本体２から取り外し大変手間がかかり面倒であった。
【０００５】
本発明は上記従来の課題を解決するものであって、共通通路６で、合流位置近傍に、着脱可能な接続パイプを設けることより、通路内の塵埃除去作業を容易にさせ使い勝手の良い縦型電気掃除機を提供することを目的とする。
【課題を解決するための手段】
【０００６】
上記従来の課題を解決するために、本発明は、吸引風を発する電動送風機を内蔵する掃除機本体と、前記掃除機本体の下方に設けられ前記電動送風機と連通する床用吸込具と、
前記掃除機本体に設けられ前記床用吸込具と前記電動送風機とに連通する集塵部と、前記掃除機本体に着脱自在に取り付け可能な隙間吸引パイプと、前記掃除機本体内に設けられ前記集塵部に連通する共通通路と、前記床用吸込具より吸気され前記共通通路に連通する床側吸込み流路と、前記隙間吸引パイプより吸気され前記共通通路に連通する吸引パイプ側吸込み流路と、前記隙間吸引パイプと連通する接続パイプと、を備え、前記共通通路内での、前記床側吸込み流路と前記吸引パイプ側吸込み流路との合流位置近傍に前記接続パイプと連通接続される穴を前記掃除機本体に設け、前記接続パイプを前記掃除機本体の穴に対し、着脱自在に設け、前記共通通路における通路の口径は、前記共通通路と連通する床側吸込み流路の口径および前記吸引パイプ側吸込み流路の口径よりも広い口径とした
ことより、共通通路及び、床用吸込具の吸込み流路、隙間吸引パイプの吸込み流路に塵埃が堆積した時、接続パイプを外せば、共通通路近傍の塵埃除去作業が容易となり使い勝手が向上するものである。
また、共通通路内の体積空間が広く確保されるので、共通通路内に入り込んだ塵埃を含んだ気流の流速は低下し、大きな粗塵埃を吸い込んでしまった場合などにおいては、この流速の下がる共通通路内に確保されることとなるので、他の場所での塵埃詰まりを防げ、塵埃詰まりにおけるメンテナンスをし易くできるものである。
【発明の効果】
【０００７】
本発明は、ホースと連通する接続パイプを備えた縦型電気掃除機で、接続パイプを着脱
可能とすることより、塵埃詰まりの除去作業を容易にさせ使い勝手の良い縦型電気掃除機を提供するものである。
【図面の簡単な説明】
【０００８】
【図１】本発明の実施の形態における縦型電気掃除機の全体斜視図
【図２】同縦型電気掃除機の後面から見た全体斜視図
【図３】同縦型電気掃除機の断面図
【図４】同縦型電気掃除機の正面から見た正面図
【図５】同縦型電気掃除機の背面から見た部分断面図
【図６】同縦型電気掃除機の接続パイプを外した状態の断面図
【図７】従来の縦型掃除機の断面図
【発明を実施するための形態】
【０００９】
第１の発明は、吸引風を発する電動送風機を内蔵する掃除機本体と、前記掃除機本体の下方に設けられ前記電動送風機と連通する床用吸込具と、前記掃除機本体に設けられ前記床用吸込具と前記電動送風機とに連通する集塵部と、前記掃除機本体に着脱自在に取り付け可能な隙間吸引パイプと、前記掃除機本体内に設けられ前記集塵部に連通する共通通路と、前記床用吸込具より吸気され前記共通通路に連通する床側吸込み流路と、前記隙間吸引パイプより吸気され前記共通通路に連通する吸引パイプ側吸込み流路と、前記隙間吸引パイプと連通する接続パイプと、を備え、
前記共通通路内での、前記床側吸込み流路と前記吸引パイプ側吸込み流路との合流位置近傍に前記接続パイプと連通接続される穴を前記掃除機本体に設け、前記接続パイプを前記掃除機本体の穴に対し、着脱自在に設け、前記共通通路における通路の口径は、前記共通通路と連通する床側吸込み流路の口径および前記吸引パイプ側吸込み流路の口径よりも広い口径としたことより、共通通路及び、床用吸込具の吸込み流路、隙間吸引パイプの吸込み流路に塵埃が堆積した時、接続パイプを掃除機本体から外すことより、共通通路近傍の塵埃除去作業が容易となり使い勝手が向上するものである。
また、共通通路内の体積空間が広く確保されるので、共通通路内に入り込んだ塵埃を含んだ気流の流速は低下し、大きな粗塵埃を吸い込んでしまった場合などにおいては、この流速の下がる共通通路内に確保されることとなるので、他の場所での塵埃詰まりを防げ、塵埃詰まりにおけるメンテナンスをし易くできるものである。
【００１０】
第２の発明は、吸引風を発する電動送風機を内蔵する掃除機本体と、前記掃除機本体の下方に設けられ前記電動送風機と連通する床用吸込具と、前記掃除機本体に設けられ前記床用吸込具と前記電動送風機とに連通する集塵部と、前記掃除機本体に着脱自在に取り付け可能な隙間吸引パイプと、前記掃除機本体内に設けられ前記集塵部に連通する共通通路
と、前記床用吸込具より吸気され前記共通通路に連通する床側吸込み流路と、前記隙間吸引パイプより吸気され前記共通通路に連通する吸引パイプ側吸込み流路と、前記隙間吸引パイプと連通する接続パイプと、を備え、
前記共通通路内での、前記床側吸込み流路と前記吸引パイプ側吸込み流路との合流位置近傍に前記接続パイプと連通接続される穴を前記掃除機本体に設け、前記接続パイプを前記掃除機本体の穴に対し、着脱自在に設け、前記隙間吸引パイプと連通する前記接続パイプを略Ｌ字状に形成し、前記略Ｌ字状の接続パイプ内を流れる吸い込み気流の下流側における前記接続パイプの口径は、気流の上流側における前記接続パイプの口径に比べ大きく設定し、気流が進む方向に段階的に口径が広がるようにしたものである。
これにより、共通通路及び、床用吸込具の吸込み流路、隙間吸引パイプの吸込み流路に塵埃が堆積した時、接続パイプを掃除機本体から外すことより、共通通路近傍の塵埃除去作業が容易となり、かつ接続パイプ内での特に略Ｌ字状の屈曲部での塵埃詰まりを防げることができ使い勝手が向上するものである。
【００１２】
第３の発明は、前記接続パイプと連通する前記穴の配置を、前記共通流路内における前記床側吸込み流路と前記吸引パイプ側吸込み流路とが合流する合流点から外した位置に設けたことにより、異なる経路から来る気流の合流点での乱流部を避けることで、塵埃が詰まる現象を抑制することができる。
またさらに、吸引パイプ側吸込み流路からの塵埃が仮に詰まったとしても、合流点から右斜め上方に穴が設けてあるので、詰まった塵埃は右斜め上方に残留するだけで、床用吸込具の吸込み口から吸引される塵埃が通過できる通路が共通通路内の左下に確保されるため、床側吸込み流路と吸引パイプ側吸込み流路の両方が共に詰まった塵埃で吸引できなくなると言った最悪な現象を回避することができる。
【００１３】
第４の発明は、隙間吸引パイプと連通する接続パイプには爪が形成され、前記爪で掃除機本体と着脱自在に係合されると共に、前記接続パイプを掃除機本体後方下部配置させている。これにより、床面から、接続パイプまでの距離が短くなり、使用者が、隙間吸引パイプを使用する場合、縦型電気掃除機本体のスタンド状態は安定し転倒しにくくなり使い勝手が向上する。
【００１４】
（実施の形態１）
本発明の第１の実施の形態における縦型電気掃除機について、図１〜図６を用いて説明する。
【００１５】
図１は、本実施の形態における縦型電気掃除機の全体斜視図、図２は、同縦型電気掃除機の後面から見た全体斜視図である。図３は、同縦型電気掃除機の断面図である。図４は、同縦型電気掃除機の正面から見た正面図、図５は、同縦型電気掃除機の背面から見た部分断面図、図６は、同縦型電気掃除機の接続パイプを外した状態の断面図である。
【００１６】
図１〜図６において、掃除機本体１０の下方には、電動送風機１１を内蔵する電動送風機室１２、この電動送風機１１の上側で、掃除機本体１０中央には、電源供給用のコード１３（図示せず）が収容されるコードリール１４を備え、このコードリール１４の上側には、塵埃を捕集する集塵部１５が備えられている。
【００１７】
掃除機本体１０上端には運搬用ハンドル１６が設けられ、掃除機本体１０上部後方には、操作用ハンドル１７を兼ね備えた隙間吸引パイプ１８が具備されている。また、掃除機本体１０の下方に上下・左右に首振り回動可能に取り付けられた床用吸込具１９を具備されている。
【００１８】
図３において、隙間吸引パイプ１８には、取付凹部２０が形成され、隙間吸引パイプ１８を、掃除機本体１０の接続開口２１に差し込んだ時、ハンドルレバー２２の係合突出部２３が、隙間吸引パイプ１８の取付凹部２０に係合されるロック機構となっている。このロック機構により係合突出部２３が上記取付凹部２０にロックされて、隙間吸引パイプ１８は、掃除機本体１０に保持される。
また、ハンドルレバー２２のロックの解除は、掃除機本体１０の上面に設けた解除レバー２４を押すことにより行われる構成となっている。
【００１９】
図３、図５において、床用吸込具１９の吸込み口２５から吸引された塵埃が通る床側吸込み流路２６は、矢印方向で示すように、床用吸込具１９の吸込み口２５から後述する共通通路３１を介して集塵部１３の開口穴２７へと連通されている。
【００２０】
一方、隙間吸引パイプ１８から吸引された塵埃が通る吸引パイプ側吸込み流路２８は、互いに連通されたホース２９と接続パイプ３０と後述する共通通路３１を介して、集塵部１３の開口穴２７へと連通されている。
【００２１】
そして、掃除機本体１０内には、双方の床側吸込み流路２６と、吸引パイプ側吸込み流路２８とが合流する通路である共通通路３１を有している。
【００２２】
図５、図６において共通通路３１の近傍には、接続パイプ３０の孔３２と連通する穴３３が掃除機本体１０に形成されており、接続パイプ３０内の流路と共通通路３１とが連通している。
【００２３】
また、図２、図６で示すように接続パイプ３０は、爪３４が形成されており、この爪３４が、掃除機本体１０の穴３３の内壁面に形成された係止部（図示せず）に嵌合すること
より、掃除機本体１０と着脱自在に構成されている。
【００２４】
上記構成より、床側吸込み流路２６を通る床用吸込具１９の吸込み口２５から吸引され
た塵埃、或いは、吸引パイプ側吸込み流路２８を通る隙間吸引パイプ１７からの吸引された塵埃が、共通通路３１近傍で詰まった時、集塵部１５や、床用吸込具１９を掃除機本体１０から外すことなく、接続パイプ３０を掃除機本体１０から外すことより、共通通路３１の近傍に設けた穴３３より、共通通路３１内やその近傍に詰まった塵埃を取り出すことができ、大きな手間をとらずに塵埃の除去が可能となり塵埃除去作業が容易となる。
【００２５】
また、上述の説明では、接続パイプ３０と連通する穴３３を共通通路３１の近傍に配置するとしたが、特に、より効果的な配置として、図５に示すように、床側吸込み流路２６と吸引パイプ側吸込み流路２８とが共通通路３１内で合流する合流点から右斜め上方に設け、異なる経路から来る気流の合流点での乱流部を避けることで、塵埃が詰まる現象を抑制することができる。
【００２６】
またさらに、吸引パイプ側吸込み流路２８からの塵埃が仮に詰まったとしても、合流点から右斜め上方に穴３３が設けてあるので、詰まった塵埃は右斜め上方に残留するだけで、床用吸込具１９の吸込み口２５から吸引される塵埃が通過できる通路が共通通路３１内の左下に確保されるため、床側吸込み流路２６と吸引パイプ側吸込み流路２８の両方が共に詰まった塵埃で吸引できなくなると言った最悪な現象を回避することができるものである。
【００２７】
また、図５に示すように、共通通路３１においての通路の口径３８（通路断面積）は、他の床側吸込み流路２６の口径や、吸引パイプ側吸込み流路２８の口径よりも広い口径としている。この構成により、共通通路３１内の体積空間が広く確保されるので、共通通路３１内に入り込んだ塵埃を含んだ気流の流速は低下し、大きな粗塵埃を吸い込んでしまった場合などにおいては、この流速の下がる共通通路３１内に確保されることとなるので、他の場所での塵埃詰まりを防げ、塵埃詰まりにおけるメンテナンスをし易くできるものである。
【００２８】
また、図６に示すように、略Ｌ字状３５の接続パイプ３０内を流れる吸い込み気流の下流側（孔３２側）における接続パイプ３０の口径３９は、上流側（ホース２９側）における接続パイプ３０の口径４０に比べ、大きく設定し、気流が進む方向に段階的に口径が広がるようにしている。これにより接続パイプ３０内での特に略Ｌ字状３５での屈曲部での塵埃詰まりを防げることができるものである。
【００２９】
また、図２、図３において、接続パイプ３０は、掃除機本体１０後方下部配置していることより、使用者が、隙間吸引パイプ１８を掃除機本体１０から外して使用する際、床面から、接続パイプ３０までの距離Ａが短くなり、接続パイプ３０に加わるモーメントが小さくなり掃除機本体１０のスタンド状態での安定性が向上し且つ、転倒しにくくなり使い勝手が向上する。
【００３０】
また、図３において、接続パイプ３０は、掃除機本体１０の長手方向に対し略Ｌ字状３５に形成されており、ホース２９と接続される開口部３６は、掃除機本体１０の上方に向けられている。
このことより、ホース２９の加わる回動、曲げの妨げの回動範囲が抑制され、ホース２９の屈曲耐久性の向上が図れるものである。
【産業上の利用可能性】
【００３１】
以上のように、本発明は、着脱可能な接続パイプを有し、塵埃詰まりの除去作業を容易
にさせ使い勝手の良い縦型電気掃除機を提供することを目的とする。
【符号の説明】
【００３２】
１０  掃除機本体
１１  電動送風機
１５  集塵部
１８  隙間吸引パイプ
１９  床用吸込具
２６  床側吸込み流路
２８  吸引パイプ側吸込み流路
２９  ホース
３０  接続パイプ
３１  共通通路
３４  爪
３５  略Ｌ字状
３６  開口部
【図１】
0005824659.tif 000002
【図２】
0005824659.tif 000003
【図３】
0005824659.tif 000004
【図４】
0005824659.tif 000005
【図５】
0005824659.tif 000006
【図６】
0005824659.tif 000007
【図７】
0005824659.tif 000008